(57)【特許請求の範囲】
【請求項１】
被処理基板が収容されるチャンバーと、
チャンバー内に相対向するように設けられた第１および第２の電極と、
前記第１の電極に高周波電力を供給する高周波電源と、
前記チャンバー内を所定の減圧状態に維持する排気手段と、
前記チャンバー内に処理ガスを導入する処理ガス導入手段と
を具備し、
前記高周波電力により処理ガスをプラズマ化して、前記基板載置部に載置された基板に対しプラズマ処理を行うプラズマ処理装置であって、
前記第２の電極は接地され、その上に長辺が６００ｍｍ以上の長方形または一辺が６００ｍｍ以上の正方形の被処理基板が載置されるように構成され、
前記高周波電源から供給される高周波電力の周波数が１２ＭＨｚであることを特徴とするプラズマ処理装置。
【請求項２】
チャンバー内に第１および第２の電極を互いに平行に設け、前記第２の電極を接地するとともに、第２の電極上に被処理基板を載置した状態で、減圧下に保持されたチャンバー内に処理ガスを導入しつつ前記第１の電極に高周波電力を供給し、これら電極間に高周波電界を形成して処理ガスのプラズマを生成し、このプラズマにより被処理基板に所定のプラズマ処理を施すプラズマ処理方法であって、
被処理基板を長辺が６００ｍｍ以上の長方形または一辺が６００ｍｍ以上の正方形とした場合に、供給する高周波電力の周波数を１２ＭＨｚとすることを特徴とするプラズマ処理方法。
【請求項３】
前記チャンバー内の圧力は、１３．３Ｐａ以上であることを特徴とする請求項２に記載のプラズマ処理方法。
【発明の詳細な説明】
【０００１】
【発明の属する技術分野】
本発明は、液晶表示装置（ＬＣＤ）基板等の被処理基板に対してドライエッチング等のプラズマ処理を施すプラズマ処理装置およびプラズマ処理方法に関する。
【０００２】
【従来の技術】
例えば、ＬＣＤ製造プロセスにおいては、被処理基板であるガラス製のＬＣＤ基板に対して、エッチングやスパッタリング、ＣＶＤ（化学気相成長）等のプラズマ処理が多用されている。
【０００３】
このようなプラズマ処理を行うためのプラズマ処理装置としては、種々のものが用いられているが、その中でも容量結合型平行平板プラズマ処理装置が主流である。
【０００４】
容量結合型平行平板プラズマ処理装置は、チャンバー内に一対の平行平板電極（上部および下部電極）を配置し、処理ガスをチャンバー内に導入するとともに、電極の少なくとも一方に高周波を印加して電極間に高周波電界を形成し、この高周波電界により処理ガスのプラズマを形成して被処理基板に対してプラズマ処理を施す。このようなプラズマ処理装置においては、一般的に、そのプラズマ発生高周波として１３．５６ＭＨｚまたはその整数倍の周波数が使用されている。
【０００５】
【発明が解決しようとする課題】
ところで、近時、ＬＣＤ基板に対して一層の大型化の要求が高まっており、一辺が１ｍというような極めて大型の基板も製造されつつある。このように被処理基板の大型化に伴い、チャンバーが大型化すると、均一なプラズマが得られなくなり、被処理基板の処理均一性も低下してしまう。
【０００６】
本発明はかかる事情に鑑みてなされたものであって、大型の被処理基板に対しても均一なプラズマにより均一な処理を行うことができるプラズマ処理装置およびプラズマ処理方法を提供することを目的とする。
【０００７】
【課題を解決するための手段】
上記課題を解決するために、本発明は、被処理基板が収容されるチャンバーと、チャンバー内に相対向するように設けられた第１および第２の電極と、前記第１の電極に高周波電力を供給する高周波電源と、前記チャンバー内を所定の減圧状態に維持する排気手段と、前記チャンバー内に処理ガスを導入する処理ガス導入手段とを具備し、前記高周波電力により処理ガスをプラズマ化して、前記基板載置部に載置された基板に対しプラズマ処理を行うプラズマ処理装置であって、前記第２の電極は接地され、その上に長辺が６００ｍｍ以上の長方形または一辺が６００ｍｍ以上の正方形の被処理基板が載置されるように構成され、前記高周波電源から供給される高周波電力の周波数が１２ＭＨｚであることを特徴とするプラズマ処理装置を提供する。
また、本発明は、チャンバー内に第１および第２の電極を互いに平行に設け、前記第２の電極を接地するとともに、第２の電極上に被処理基板を載置した状態で、減圧下に保持されたチャンバー内に処理ガスを導入しつつ前記第１の電極に高周波電力を供給し、これら電極間に高周波電界を形成して処理ガスのプラズマを生成し、このプラズマにより被処理基板に所定のプラズマ処理を施すプラズマ処理方法であって、被処理基板を長辺が６００ｍｍ以上の長方形または一辺が６００ｍｍ以上の正方形とした場合に、供給する高周波電力の周波数を１２ＭＨｚとすることを特徴とするプラズマ処理方法を提供する。
【０００９】
本発明者らは、長辺が６００ｍｍ以上の長方形または一辺が６００ｍｍ以上の正方形という大型の被処理基板でも均一なプラズマ処理を可能にすべく検討を重ねた。その結果、図１に示すように、チャンバー内の真空度（圧力）と電極における高周波電圧のピークツーピーク値ＶPPとの関係においてＶPPの極小値が存在し、基板サイズが大きくなるとＶPPの極小値が高真空側（低圧側）にシフトすることを見出した。また、経験的にＶPPの極小値の極小値近傍でプラズマ密度が均一になることが知られている。そこで、ＶPPの極小値近傍までチャンバー内の真空度（圧力）を高真空側（低圧側）にすると、カソード電極がスパッタされるという不都合およびプラズマ密度が低下するという不都合が生じる。このような不都合を回避するためにさらに検討した結果、供給する高周波電力の周波数を従来の１３．５６ＭＨｚよりも低周波数にするとＶPPの極小値をより低真空側（高圧側）へシフトさせることができることを見出した。したがって、上記のような大型基板であっても、カソード電極がスパッタされるという不都合およびプラズマ密度が低下するという不都合を生じさせることなく、ＶPPの極小値近傍でプラズマ処理を行うことができる。したがって、均一なプラズマにより均一な処理を行うことができる。ただし、周波数を１０ＭＨｚ未満とするとプラズマ密度自体が低下するため、１０ＭＨｚ以上とする。
【００１０】
なお、被処理体を載置する第２の電極に高周波電力を印加するＲＩＥモードでは、プラズマ中のイオンの作用を主体とするので上記不都合は見られない。したがって、本発明は被処理体を載置しない第１の電極に高周波電力を印加するＰＥモードの場合に適用される。
【００１１】
【発明の実施の形態】
以下、添付図面を参照して本発明の実施の形態について説明する。図２は本発明の一実施形態に係るＬＣＤ基板用のプラズマ処理装置を模式的に示す断面図で、図３はそのプラズマ処理装置のサセプタ（下部電極）を示す平面図である。このプラズマ処理装置１は、電極板が上下平行に対向し、上部電極にプラズマ形成用電源が接続された容量結合型平行平板エッチング装置として構成されている。
【００１２】
このプラズマ処理装置１は、例えば表面がアルマイト処理（陽極酸化処理）されたアルミニウムからなる角筒形状に成形されたチャンバー２を有しており、このチャンバー２は接地されている。前記チャンバー２内の底部には角柱状のサセプタ支持台４が設けられており、さらにこのサセプタ支持台４の上には、被処理基板であるＬＣＤ基板Ｇを載置するためのサセプタ５が設けられている。このサセプタ５は下部電極（第２の電極）として機能し、接地されている。
【００１３】
前記サセプタ支持台４の内部には、冷媒室７が設けられており、この冷媒室７には、冷媒が冷媒導入管８を介して導入され冷媒排出管９から排出されて循環し、その冷熱が前記サセプタ５を介して基板Ｇに伝熱され、これによりウエハＷの処理面が所望の温度に制御される。
【００１４】
前記サセプタ５もサセプタ支持台４と同様に角柱状に成形されている。サセプタ５の上部中央部は凸状部となっており、その凸状部上面に基板Ｇが載置される。その凸状部は載置される基板Ｇとほぼ同サイズとなっており、図２に示すように、長辺の長さが６００ｍｍ以上の矩形状をなしている。したがって、長辺の長さが６００ｍｍ以上の基板を載置するように構成されている。なお、サセプタ５の凸状部は一辺の長さが６００ｍｍ以上の正方形をなしていてもよく、その場合には一辺の長さが６００ｍｍ以上の正方形が載置される。また、サセプタ５からは、図３に示すように４本のリフトピン１４が突出するようになっており、リフトピン１４が突出した状態で基板Ｇの受け渡しが行われる。
【００１５】
前記サセプタ５の上端周縁部には、基板Ｇを囲むように、額縁状のフォーカスリング１６が配置されている。このフォーカスリング１６はセラミックなどの絶縁性材料からなっている。
【００１６】
前記サセプタ５の上方には、このサセプタ５と平行に対向して上部電極２１が設けられている。この上部電極２１は、絶縁材２５を介して、チャンバー２の上部に支持されており、サセプタ５との対向面を構成し、多数の吐出孔２４を有する電極板２３と、この電極板２３を支持し、導電性材料、例えば表面がアルマイト処理されたアルミニウムからなる電極支持体２２とを有しており、シャワーヘッドを構成している。なお、下部電極としてのサセプタ５と上部電極２１とは、例えば３０〜３００ｍｍ程度離間している。
【００１７】
前記上部電極２１における電極支持体２２にはガス導入口２６が設けられ、さらにこのガス導入口２６には、ガス供給管２７が接続されており、このガス供給管２７には、バルブ２８、およびマスフローコントローラ２９を介して、処理ガス供給源３０が接続されている。処理ガス供給源３０から、プラズマ処理であるエッチングのための処理ガスが供給される。
【００１８】
前記チャンバー２の底部には排気管３１が接続されており、この排気管３１には排気装置３５が接続されている。排気装置３５はターボ分子ポンプなどの真空ポンプを備えており、これによりチャンバー２内を所定の減圧雰囲気まで真空引き可能なように構成されている。また、チャンバー２の側壁にはゲートバルブ３２が設けられており、このゲートバルブ３２を開にした状態で基板Ｇが隣接するロードロック室（図示せず）との間で搬送されるようになっている。
【００１９】
上部電極２１には、整合器４１を介して高周波電源４０が接続されており、その際の給電は上部電極２１の上面中央部に接続された給電棒３３により行われる。この高周波電源４０は、１０ＭＨｚ以上１３．５６ＭＨｚ未満の範囲の周波数を印加するようになっており、この範囲の周波数の高周波電力を印加することにより均一なプラズマ処理を行うことができる。
【００２０】
次に、プラズマ処理装置１における処理動作について、基板Ｇに形成されたアモルファスシリコン膜をエッチングする場合を例にとって説明する。
【００２１】
まず、被処理体である基板Ｇは、ゲートバルブ３２が開放された後、図示しないロードロック室からチャンバー２内へと搬入され、サセプタ５上に載置される。この場合に、基板Ｇの受け渡しはサセプタ５の内部を挿通しサセプタ５から突出可能に設けられたリフターピン１４によって行われる。次いで、ゲートバルブ３２が閉じられ、排気装置３５によって、チャンバー２内が所定の真空度まで真空引きされる。
【００２２】
その後、バルブ２８が開放されて、処理ガス供給源３０から処理ガスがマスフローコントローラ２９によってその流量が調整されつつ、処理ガス供給管２７、ガス導入口２６を通って上部電極２１の内部へ導入され、さらに電極板２３の吐出孔２４を通って、図２の矢印に示すように、基板Ｇに対して均一に吐出され、チャンバー２内の圧力が所定の値に維持される。
【００２３】
そして、高周波電源４０から高周波電力が上部電極２１に印加され、これにより、上部電極２１と下部電極としてのサセプタ５との間に高周波電界が生じ、処理ガスが解離してプラズマ化し、エッチング処理が施される。
【００２４】
この場合に、従来のように、印加される高周波電力の周波数が１３．５６ＭＨｚまたはその整数倍の場合には、チャンバー内圧力を従来と同様にすると、長辺が６００ｍｍ以上の長方形または一辺が６００ｍｍ以上の正方形という大型基板では、基板Ｇ全体に亘ってプラズマを均一化することは困難であり、プラズマの不均一が生じる傾向がある。これは上述したように基板が大型化すると、その近傍でプラズマ密度が均一になることが知られているＶPPの極小値が高真空側（低圧側）にシフトするからである。
【００２５】
ＶPPの極小値がシフトした分だけチャンバー内の真空度（圧力）を高真空度（低圧）にすると、カソード電極として機能する上部電極２１の電極板２３がスパッタされる不都合がある。したがって、このような電極板２３がスパッタされる不都合を回避しつつプラズマの均一性を確保するために、本実施形態においては高周波電源４０から上部電極２１に印加する高周波電力の周波数を１０ＭＨｚ以上１３．５６ＭＨｚ未満とする。このように周波数を１３．５６ＭＨｚ未満とすることにより、ＶPPの極小値をより高圧側へシフトさせることができ、カソード電極である上部電極２１の電極板２３がスパッタされるという不都合を生じさせることなく、ＶPPのピーク近傍でプラズマ処理を行うことができる。したがって、均一なプラズマにより均一な処理を行うことができる。ただし、周波数を１０ＭＨｚ未満とするとプラズマ密度自体が低下して処理効率が低下するため、１０ＭＨｚ以上とする。
【００２６】
なお、本実施形態のように基板を載置しない上部電極２１に高周波電力を印加するＰＥモードの場合には、良好なプラズマ状態を得るためには、チャンバー２内の圧力は１３．３Ｐａ以上であることが好ましい。チャンバー内圧力の上限は通常のプラズマ処理が行うことができる範囲で設定され、例えば３００Ｐａ程度である。
【００２７】
次に、本発明の効果を確認した実験について説明する。
６８０ｍｍ×６８０ｍｍの正方形のＬＣＤ基板に対し、図１で示した装置を用いてエッチング実験を行った。高周波電源から供給される高周波電力を２４００Ｗに設定し、周波数を１３．５６ＭＨｚ、１２．０ＭＨｚ、１０．０ＭＨｚとして実験を行った。なお、処理ガスとしてはＳＦ６、ＨＣｌ、Ｈｅの混合ガスを用い、チャンバー内圧力は３０Ｐａに設定した。
【００２８】
その結果、１３．５６ＭＨｚの際には、中央部のエッチレートが高く、平均エッチレートは１６５．４ｎｍ／ｍｉｎで均一性が±２４％であったが、周波数を下げるに従って周辺部のエッチレートが上昇する傾向が見られ、１２．０ＭＨｚの場合には２４２．３ｎｍ／ｍｉｎ，±１１％、１０ＭＨｚの場合には２４０．２ｎｍ／ｍｉｎ，±１６％となって、周波数を１３．５６ＭＨｚ未満とすることでエッチングの均一性が良好となり、しかもエッチレートが高くなることが確認された。
【００２９】
なお、本発明は上記実施の形態に限定されることなく種々変形可能である。例えば、上記実施形態では本発明をエッチング装置に適用した場合について示したが、エッチング装置に限らず、スパッタリングや、ＣＶＤ成膜等の他のプラズマ処理装置に適用することができる。
【００３０】
【発明の効果】
以上説明したように、本発明によれば、電極に供給する高周波電力の周波数を１０ＭＨｚ以上１３．５６ＭＨｚ未満とすることにより、長辺が６００ｍｍ以上の長方形または一辺が６００ｍｍ以上の正方形の大型基板のプラズマ処理において、プラズマを均一化することができ、均一なプラズマ処理を行うことができる。
【図面の簡単な説明】
【図１】チャンバー内の真空度（圧力）とＶPPとの関係を示すグラフ。
【図２】本発明の一実施形態に係るＬＣＤ基板用のプラズマ処理装置を模式的に示す断面図
【図３】図１のプラズマ処理装置のサセプタ（下部電極）を示す平面図。
【符号の説明】
１；プラズマ処理装置（エッチング装置）
２；チャンバー
５；サセプタ（第２の電極）
２１；上部電極（第１の電極）
３０；処理ガス供給源
３５；排気装置
４０；高周波電源
Ｇ；ＬＣＤ基板
【図１】
0004583543.tif 000002
【図２】
0004583543.tif 000003
【図３】
0004583543.tif 000004